(57)【要約】      （修正有）【課題】ＩＣタグリーダモジュールを着脱可能に構成し、かつデザイン性の高い情報提供装置及びリーダモジュールを提供する。【解決手段】掲示すべき掲示情報を掲示するための掲示部を備え、掲示部に掲示された掲示内容に関する関連情報を受信可能に接続された情報端末装置に対して情報を提供する情報提供装置において、情報端末装置の筐体内部に着脱可能に備えられ、情報端末装置を、他の情報端末装置から識別するための記憶媒体に記憶された固有の識別情報を読み取るリーダ部と、当該リーダ部の位置を筐体外部から認知させるための発光体と、を具備する複数のリーダモジュールと、リーダ部により記憶媒体から読み取った識別情報を情報管理装置に送信する通信部と、を備え、リーダモジュールは、発光体が筐体前面と対向するよう配置されている。【選択図】  図１（Ａ）
2006349887.tif 000002
【特許請求の範囲】
【請求項１】
掲示すべき掲示情報を掲示する掲示部を備え、通信網を介して情報管理装置から前記掲示部に掲示された掲示内容に関する関連情報を受信可能に接続された情報端末装置に対して情報を提供する情報提供装置において、
前記情報端末装置の筐体内部に着脱可能に備えられ、前記情報端末装置を、他の情報端末装置から識別するための記憶媒体に記憶された固有の識別情報を読み取るリーダ部と、当該リーダ部の位置を筐体外部から認知させるための発光体と、を具備する複数のリーダモジュールと、
前記リーダ部により前記記憶媒体から読み取った前記識別情報を前記情報管理装置に送信する通信部と、を備え、
前記筐体の前面部は透光性を有する材料から成り、前記リーダモジュールは、前記発光体が前記筐体前面と対向するよう配置されることを特徴とする情報提供装置。
【請求項２】
掲示すべき掲示情報を掲示する掲示部を備え、通信網を介して情報管理装置から前記掲示部に掲示された掲示内容に関する関連情報を受信可能に接続された情報端末装置に対して情報を提供する情報提供装置において、
前記情報端末装置の筐体内部に移動可能に備えられ、前記情報端末装置を、他の情報端末装置から識別するための記憶媒体に記憶された固有の識別情報を読み取るリーダ部と、当該リーダ部の位置を筐体外部から認知させるための発光体と、を具備するリーダモジュールと、
前記リーダ部により前記記憶媒体から読み取った前記識別情報を前記情報管理装置に送信する通信部と、を備え、
前記筐体の前面部は透光性を有する材料から成り、前記リーダモジュールは、前記発光体が前記筐体前面と対向するよう配置されることを特徴とする情報提供装置。
【請求項３】
請求項１又は請求項２に記載の情報提供装置において、
前記リーダモジュールは磁性を有する磁性部を更に具備し、
前記筐体の後面部は金属から成り、前記リーダモジュールは前記磁性部により前記筐体の後面部に着脱自在に備えられていることを特徴とする情報提供装置。
【請求項４】
請求項１又は請求項２に記載の情報提供装置において、  
前記筐体内の前面又は後面に前記リーダモジュールを所定方向に移動可能とするためのガイドレールを備え、
前記リーダモジュールは前記ガイドレールに沿って移動可能に備えられていることを特徴とする情報提供装置。
【請求項５】
請求項４に記載の情報提供装置において、  
前記ガイドレールは、一方の前記ガイドレールの長手方向上部と、他方の前記ガイドレールの長手方向下部にそれぞれ溝部が形成された１対のガイドレールであって、
前記リーダモジュールの上端部及び下端部に、前記ガイドレールに形成した各前記溝部に嵌合するための嵌合部がそれぞれ具備されていることを特徴とする情報提供装置。
【請求項６】
請求項１乃至請求項５のいずれか一項に記載の情報提供装置において、  
前記発光体は、前記リーダ部を取り囲んで複数具備されていることを特徴とする情報提供装置。
【請求項７】
請求項１乃至請求項６のいずれか一項に記載の情報提供装置において、  
前記リーダ部が前記記憶媒体から前記識別情報を読み取ると、所定の音声を出力するスピーカを備えることを特徴とする情報提供装置。
【請求項８】
請求項１乃至請求項７のいずれか一項に記載の情報提供装置において、  
前記掲示部は、前記掲示情報が記載された掲示媒体を差し替え可能に挿んで掲示するための掲示媒体挿み込み部であることを特徴とする情報提供装置。
【請求項９】
請求項１乃至請求項７のいずれか一項に記載の情報提供装置において、  
前記通信部は、前記情報管理装置から送信された掲示情報を受信し、
前記掲示部は、受信した前記掲示情報を表示するための表示モニタであることを特徴とする情報提供装置。
【請求項１０】
請求項１乃至請求項９のいずれか一項に記載の情報提供装置において、  
前記通信部は、無線によって前記通信網を介して前記情報管理装置と接続可能な無線通信部であることを特徴とする情報提供装置。
【請求項１１】
請求項１乃至請求項１０のいずれか一項に記載の情報提供装置において、  
前記情報端末装置は、携帯電話、携帯情報端末又は情報通信装置であって、
前記記憶媒体は、ＩＣタグ（Integrated Circuit）、ＩＣ（Integrated Circuit）カード、バーコード、又は磁気カードを記録した記録物であることを特徴とする情報提供装置。
【請求項１２】
請求項１乃至請求項１１のいずれか一項に記載の情報提供装置において、
前記リーダ部は、前記記憶媒体に対して情報を書き込む機能を有するリーダライタ部であって、
前記リーダモジュールは、前記リーダライタ部を具備するリーダライタモジュールであることを特徴とする情報提供装置。
【請求項１３】
筐体内部に備えられ、記憶媒体に記憶された情報を読み取るリーダ部を具備するリーダモジュールにおいて、
前記リーダ部の位置を筐体外部から認知させるための発光体を備え、かつ、前記筐体の前面部は透光性を有する材料から成り、前記リーダモジュールは、前記発光体が前記筐体前面と対向するよう配置されることを特徴とするリーダモジュール。
【請求項１４】
請求項１３に記載のリーダモジュールにおいて、
前記発光体は、前記リーダ部を取り囲んで複数備えられていることを特徴とするリーダモジュール。
【請求項１５】
請求項１３又は請求項１４に記載のリーダモジュールにおいて、
前記記憶媒体は、ＩＣ（Integrated Circuit）タグであって、
前記リーダモジュールは、ＩＣタグリーダモジュールであることを特徴とするリーダモジュール。
【請求項１６】
筐体内部に備えられ、記憶媒体に対して情報の書き込みを行うライタ部を具備するライタモジュールにおいて、
前記ライタ部の位置を筐体外部から認知させるための発光体を備え、かつ、前記筐体の前面部は透光性を有する材料から成り、前記ライタモジュールは、前記発光体が前記筐体前面と対向するよう配置されることを特徴とするライタモジュール。
【請求項１７】
請求項１６に記載のライタモジュールにおいて、
前記発光体は、前記ライタ部を取り囲んで複数備えられていることを特徴とするライタモジュール。
【請求項１８】
請求項１６又は請求項１７に記載のライタモジュールにおいて、
前記記憶媒体は、ＩＣ（Integrated Circuit）タグであって、
前記ライタモジュールは、ＩＣタグライタモジュールであることを特徴とするライタモジュール。
【発明の詳細な説明】
【技術分野】
【０００１】
本発明は、装置内部にリーダモジュールを備えた情報提供装置に関し、特に、掲示情報を掲示するための掲示部を備えた情報提供装置等に関する。
【背景技術】
【０００２】
近年、携帯電話の普及に伴い、商品やサービスの情報を電子メールにて配信するといった情報配信システムが普及している。特に最近では、商品やサービスの情報の中でも利用者が特に興味を持った情報を選別して配信する種々の工夫が成されている。
【０００３】
例えば、特許文献１には、この種の情報配信システムとして、情報管理者は、予め利用者にＩＣ（Integrated Circuit）タグを配布しておき、商品やサービスのポスター等の広告媒体の背後にＩＣタグに記録されたＩＤ（IDentifier）を読み取るＩＣタグリーダを備えた情報提供装置を屋外や店舗内等に設置するという構成が開示されている。このような構成によれば、利用者は興味を持った商品やサービスのポスター等に自己が所有するＩＣタグをかざすことにより、背後に設置されたリーダによってＩＣタグのＩＤが読み取られ、ポスター等に告知された広告の詳細な内容が管理者の管理装置から利用者の携帯電話等にメールを通じて配信されることになる。
【特許文献１】特開２００３−３０８２６７号公報
【発明の開示】
【発明が解決しようとする課題】
【０００４】
上述したようなＩＣタグリーダを搭載してポスター等の詳細な情報を携帯電話に伝える情報提供装置、言わば電波ポスターユニットの普及が見込まれているが、この場合ユニット内部に固定されたＩＣタグリーダが、ユニットの何処に固定設置されているか、ＩＣタグリーダの設置位置を利用者が認知できるように構成しなければならない。しかし、その設置位置によっては、商品やサービスのポスター等のデザイン性に制約が出てくることとなる。
【０００５】
そこで本発明は、このような問題に鑑みてなされたものであり、ＩＣタグリーダモジュールを移動可能に構成し、かつデザイン性の高い情報提供装置及びリーダモジュール等を提供することを目的する。
【課題を解決するための手段】
【０００６】
上記問題を解決すべく、請求項１に記載の発明は、掲示すべき掲示情報を掲示する掲示部を備え、通信網を介して情報管理装置から前記掲示部に掲示された掲示内容に関する関連情報を受信可能に接続された情報端末装置に対して情報を提供する情報提供装置において、前記情報端末装置の筐体内部に着脱可能に備えられ、前記情報端末装置を、他の情報端末装置から識別するための記憶媒体に記憶された固有の識別情報を読み取るリーダ部と、当該リーダ部の位置を筐体外部から認知させるための発光体と、を具備する複数のリーダモジュールと、前記リーダ部により前記記憶媒体から読み取った前記識別情報を前記情報管理装置に送信する通信部と、を備え、前記筐体の前面部は透光性を有する材料から成り、前記リーダモジュールは、前記発光体が前記筐体前面と対向するよう配置されることを特徴とする。
【０００７】
これによれば、掲示媒体挿み込み部等の掲示部に掲示された掲示内容に関する関連情報を、情報端末装置に提供する電波ポスターユニット１等の情報提供装置において、当該情報提供装置の内部にＩＣタグリーダモジュール等のリーダモジュールを着脱可能に複数備えたので、ＩＣカードやＩＣタグ等種々の記憶媒体に対応可能な情報提供装置を提供することができる。また、リーダモジュールを、ＩＣタグ等の記憶媒体の識別情報を読み取るリーダ部の位置が筐体外部から認知できるようＬＥＤ等の発光体を備えて構成し、且つ、情報提供装置の筐体前面部を樹脂等の透光性を有する材料で構成したので、ユーザは情報提供装置の何れの位置にＩＣタグ等の記憶媒体を翳すべきかを、発光によって筐体外部から容易に把握することができる。
【０００８】
上記問題を解決すべく、請求項２に記載の発明は、掲示すべき掲示情報を掲示する掲示部を備え、通信網を介して情報管理装置から前記掲示部に掲示された掲示内容に関する関連情報を受信可能に接続された情報端末装置に対して情報を提供する情報提供装置において、前記情報端末装置の筐体内部に移動可能に備えられ、前記情報端末装置を、他の情報端末装置から識別するための記憶媒体に記憶された固有の識別情報を読み取るリーダ部と、当該リーダ部の位置を筐体外部から認知させるための発光体と、を具備するリーダモジュールと、前記リーダ部により前記記憶媒体から読み取った前記識別情報を前記情報管理装置に送信する通信部と、を備え、前記筐体の前面部は透光性を有する材料から成り、前記リーダモジュールは、前記発光体が前記筐体前面と対向するよう配置されることを特徴とする。
【０００９】
これによれば、掲示媒体挿み込み部等の掲示部に掲示された掲示内容に関する関連情報を、情報端末装置に提供する電波ポスターユニット１等の情報提供装置において、当該情報提供装置の内部にＩＣタグリーダモジュール等のリーダモジュールを移動可能に備えたので、デザイン性の高い情報提供装置を提供することができる。また、リーダモジュールを、ＩＣタグ等の記憶媒体の識別情報を読み取るリーダ部の位置が筐体外部から認知できるようＬＥＤ等の発光体を備えて構成し、且つ、情報提供装置の筐体前面部を樹脂等の透光性を有する材料で構成したので、ユーザは情報提供装置の何れの位置にＩＣタグ等の記憶媒体を翳すべきかを、発光によって筐体外部から容易に把握することができる。
【００１０】
上記問題を解決すべく、請求項３に記載の発明は、請求項１又は請求項２に記載の情報提供装置において、前記リーダモジュールは磁性を有する磁性部を更に具備し、前記筐体の後面部は金属から成り、前記リーダモジュールは前記磁性部により前記筐体の後面部に着脱自在に備えられていることを特徴とする。
【００１１】
これによれば、情報提供装置の後面部を金属等で構成し、マグネット等の磁性部をリーダモジュールに備えるよう構成したので、リーダモジュールを最小限の構成部材で筐体後面部に着脱自在に構成することができる。
【００１２】
上記問題を解決すべく、請求項４に記載の発明は、請求項１又は請求項２に記載の情報提供装置において、前記筐体内の前面又は後面に前記リーダモジュールを所定方向に移動可能とするためのガイドレールを備え、前記リーダモジュールは前記ガイドレールに沿って移動可能に備えられていることを特徴とする。
【００１３】
これによれば、リーダモジュールを移動可能とさせたい範囲に、ガイドレールを設け、リーダモジュールを当該ガイドレールに沿って移動可能としたので、設計の自由度の高い情報提供装置を提供することができる。
【００１４】
上記問題を解決すべく、請求項５に記載の発明は、請求項４に記載の情報提供装置において、前記ガイドレールは、一方の前記ガイドレールの長手方向上部と、他方の前記ガイドレールの長手方向下部にそれぞれ溝部が形成された１対のガイドレールであって、前記リーダモジュールの上端部及び下端部に、前記ガイドレールに形成した各前記溝部に嵌合するための嵌合部がそれぞれ具備されていることを特徴とする。
【００１５】
これによれば、１対のガイドレールに形成された溝部と嵌合させるための嵌合部を、リーダモジュールの上下端部にそれぞれ設けたので、リーダモジュールの位置決めを安定性高く行うことができる。
【００１６】
上記問題を解決すべく、請求項６に記載の発明は、請求項１乃至請求項５のいずれか一項に記載の情報提供装置において、前記発光体は、前記リーダ部を取り囲んで複数具備されていることを特徴とする。
【００１７】
これによれば、ユーザは発光の中央付近に位置するリーダ部に対して、記憶媒体を確実且つ容易に翳すことができる。
【００１８】
上記問題を解決すべく、請求項７に記載の発明は、請求項１乃至請求項５のいずれか一項に記載の情報提供装置において、前記リーダ部が前記記憶媒体から前記識別情報を読み取ると、所定の音声を出力するスピーカを備えることを特徴とする。
【００１９】
これによれば、ユーザは記憶媒体の識別情報がリーダ部に読み取られたことを把握することができる。
【００２０】
上記問題を解決すべく、請求項８に記載の発明は、請求項１乃至請求項７のいずれか一項に記載の情報提供装置において、前記掲示部は、前記掲示情報が記載された掲示媒体を差し替え可能に挿んで掲示するための掲示媒体挿み込み部であることを特徴とする。
【００２１】
これによれば、掲示媒体挿み込み部に掲示されたポスター等の広告媒体や案内掲示物等の掲示媒体の掲示内容に関する関連情報を、情報管理装置から取得することができる。
【００２２】
上記問題を解決すべく、請求項９に記載の発明は、請求項１乃至請求項８のいずれか一項に記載の情報提供装置において、前記通信部は、前記情報管理装置から送信された掲示情報を受信し、前記掲示部は、受信した前記掲示情報を表示するための表示モニタであることを特徴とする。
【００２３】
これによれば、表示モニタに情報管理装置から受信した掲示情報を表示させることができ、掲示内容に関する関連情報を、情報管理装置から情報端末装置に取得することができる。
【００２４】
上記問題を解決すべく、請求項１０に記載の発明は、請求項１乃至請求項９のいずれか一項に記載の情報提供装置において、前記通信部は、無線によって前記通信網を介して前記情報管理装置と接続可能な無線通信部であることを特徴とする。
【００２５】
これによれば、通信部を無線通信部としたので、情報提供装置は電源供給さえされれば、何処でも容易に設置することが可能となる。
【００２６】
上記問題を解決すべく、請求項１１に記載の発明は、請求項１乃至請求項１０のいずれか一項に記載の情報提供装置において、前記情報端末装置は、携帯電話、携帯情報端末又は情報通信装置であって、前記記憶媒体は、ＩＣタグ、ＩＣカード、バーコード、又は磁気カードを記録した記録物であることを特徴とする。
【００２７】
これによれば、掲示媒体挿み込み部等の掲示部に掲示された掲示内容に関する関連情報を、携帯電話、携帯情報端末又は情報通信装置に提供する電波ポスターユニット１等の情報提供装置において、当該情報提供装置の内部にＩＣタグリーダモジュール等のリーダモジュールを着脱可能に複数備えたので、ＩＣタグ、ＩＣカード、バーコード、又は磁気カードを記録した記録物の種々の記憶媒体に対応可能な情報提供装置を提供することができる。
【００２８】
また、掲示媒体挿み込み部等の掲示部に掲示された掲示内容に関する関連情報を、携帯電話、携帯情報端末又は情報通信装置に提供する電波ポスターユニット１等の情報提供装置において、当該情報提供装置の内部にＩＣタグリーダモジュール等のリーダモジュールを移動可能に備えたので、デザイン性の高い情報提供装置を提供することができる。また、リーダモジュールを、ＩＣタグ、ＩＣカード、バーコード、又は磁気カードを記録した記録物の識別情報を読み取るリーダ部の位置が、筐体外部から認知できるようＬＥＤ等の発光体を備えて構成し、且つ、情報提供装置の筐体前面部を樹脂等の透光性を有する材料で構成したので、ユーザは発光によって情報提供装置の何れの位置にＩＣタグ等の記憶媒体を翳すべきかを、筐体外部から容易に把握することができる。
【００２９】
上記問題を解決すべく、請求項１２に記載の発明は、請求項１乃至請求項１１のいずれか一項に記載の情報提供装置において、前記リーダ部は、前記記憶媒体に対して情報を書き込む機能を有するリーダライタ部であって、前記リーダモジュールは、前記リーダライタ部を具備するリーダライタモジュールであることを特徴とする。
【００３０】
これによれば、リーダモジュールが記憶媒体に対して情報を書き込む機能を有するリーダライタ部を具備するリーダライタモジュールである場合でも、デザイン性の高い情報提供装置を提供することができ、また、ユーザは記憶媒体に情報を書き込む際に、発光によって情報提供装置の何れの位置にＩＣタグ等の記憶媒体を翳すべきかを、筐体外部から容易に把握することができる。
【００３１】
上記問題を解決すべく、請求項１３に記載の発明は、筐体内部に備えられ、記憶媒体に記憶された固有の識別情報を読み取るリーダ部を具備するリーダモジュールにおいて、前記リーダ部の位置を筐体外部から認知させるための発光体を備え、かつ、前記筐体の前面部は透光性を有する材料から成り、前記リーダモジュールは、前記発光体が前記筐体前面と対向するよう配置されるることを特徴とする。
【００３２】
これによれば、ＩＣタグ等の記憶媒体の識別情報を読み取るリーダ部の位置が筐体外部から認知できるようＬＥＤ等の発光体を備えて構成し、且つ、筐体前面部を樹脂等の透光性を有する材料で構成したので、ユーザは筐体の何れの位置に記憶媒体を翳すべきかを、発光によって筐体外部から容易に把握することができる。また、筐体にリーダ部の位置を認知させるための注意書きを行う必要がないので、デザイン性の高いリーダモジュールを提供することができる。
【００３３】
上記問題を解決すべく、請求項１４に記載の発明は、請求項１３に記載のリーダモジュールにおいて、前記発光体は、前記リーダ部を取り囲んで複数備えられていることを特徴とする。
【００３４】
これによれば、ユーザは発光の中央付近に位置するリーダ部に対して、記憶媒体を確実且つ容易に翳すことができる。
【００３５】
上記問題を解決すべく、請求項１５に記載の発明は、請求項１３又は請求項１４に記載のリーダモジュールにおいて、前記記憶媒体は、ＩＣタグであって、前記リーダモジュールは、ＩＣタグリーダモジュールであることを特徴とする。
【００３６】
これによれば、ＩＣタグの識別情報を読み取るＩＣタグリーダモジュールのリーダ部の位置が筐体外部から認知できるようＬＥＤ等の発光体を備えて構成し、且つ、筐体前面部を樹脂等の透光性を有する材料で構成したので、ユーザは筐体の何れの位置に記憶媒体を翳すべきかを、発光によって筐体外部から容易に把握することができる。また、筐体にＩＣタグリーダモジュールのリーダ部の位置を認知させるための注意書きを行う必要がないので、デザイン性の高いリーダモジュールを提供することができる。
【００３７】
上記問題を解決すべく、請求項１６に記載の発明は、筐体内部に備えられ、記憶媒体に対して情報の書き込みを行うライタ部を具備するライタモジュールにおいて、前記ライタ部の位置を筐体外部から認知させるための発光体を備え、かつ、前記筐体の前面部は透光性を有する材料から成り、前記ライタモジュールは、前記発光体が前記筐体前面と対向するよう配置されることを特徴とする。
【００３８】
上記問題を解決すべく、請求項１７に記載の発明は、請求項１６に記載のライタモジュールにおいて、前記発光体は、前記ライタ部を取り囲んで複数備えられていることを特徴とする。
【００３９】
上記問題を解決すべく、請求項１８に記載の発明は、請求項１６又は請求項１７に記載のライタモジュールにおいて、前記記憶媒体は、ＩＣ（Integrated Circuit）タグであって、前記ライタモジュールは、ＩＣタグライタモジュールであることを特徴とする。
【発明の効果】
【００４０】
本発明によれば、掲示部に掲示された掲示内容に関する関連情報を、情報端末装置に提供する電波ポスターユニット１等の情報提供装置において、デザイン性の高い情報提供装置を提供することができる。また、リーダモジュールを、ＩＣタグ等の記憶媒体の識別情報を読み取るリーダ部の位置が筐体外部から認知できるようＬＥＤ等の発光体を備えて構成し、且つ、情報提供装置の筐体前面部を樹脂等の透光性を有する材料で構成したので、ユーザは情報提供装置の何れの位置にＩＣタグ等の記憶媒体を翳すべきかを、発光によって容易に把握することができる。
【発明を実施するための最良の形態】
【００４１】
以下、本発明の最良の実施形態を図１乃至図５を用いて説明する。
【００４２】
図１（Ａ）及び（Ｂ）は、本発明の情報提供装置としての電波ポスターユニットの外観説明図である。
【００４３】
まず、本実施形態に係る電波ポスターユニット１について、図１を用いて概念的に説明する。
【００４４】
図１（Ａ）及び（Ｂ）に示すように、電波ポスターユニット１は、商品を宣伝するためのポスターやＰＯＰ等の広告媒体や案内掲示物等の掲示すべき掲示情報が記載された掲示媒体を挿んで掲示するための掲示部としての掲示媒体挿み込み部１１と、当該掲示媒体挿み込み部１１に掲示する掲示媒体を差し替えるための掲示媒体挿入口１１Ｂと、を備えている。掲示媒体は、掲示媒体挿入口１１Ｂより、出し入れされて差し替え可能に構成されている。図１（Ａ）に示す例では、掲示媒体としてのポスター１１Ａが図中矢印で示す如く掲示媒体挿入口１１Ｂより挿入され、掲示媒体挿み込み部１１に掲示されている。また、掲示媒体挿入口１１Ｂには、図１（Ｂ）に示すように、掲示媒体挿入口１１Ｂを塞ぐためのネジ１１Ｂａが装着されており、掲示媒体挿入口１１Ｂからポスター等の掲示媒体を挿入するときだけ、掲示媒体挿入口１１Ｂを開口することができるようになっている。
【００４５】
また、本実施形態では電波ポスターユニット１本体を自立させるための台座１２を備えているが、このように台座１２に依らずとも、例えば、店舗内等の商品棚等に立てかけてもよく、或いはフック等を用いて店舗内の壁に掛けてもよい。
【００４６】
図１（Ｃ）は、台座１２を省略した電波ポスターユニット１の左側面図である。同図に示す如く、電波ポスターユニット１はスピーカ１３を備えて構成される。
【００４７】
電波ポスターユニット１の前面部は、樹脂等の透光性のある材料で構成され、同図に示す如く電波ポスターユニット１の筐体内部に備えたＩＣタグリーダモジュール（後に詳細に説明する。）に具備されたＬＥＤ（Light-Emitting Diode）が通電され発光することにより、筐体外部のユーザに対して記憶媒体としてのＲＦＩＤ（Radio Frequency Identification）等から成るＩＣ（Integrated Circuit）タグＴを翳すべき位置を認知させることができるように構成されている。
【００４８】
なお、ＩＣタグＴは、ＩＣタグＴの各々を一意に識別する固有の識別情報を記憶する図示しないＩＣ部を具備し、ユーザが電波ポスターユニット１の外部からＩＣタグＴを翳すことにより、識別情報がＩＣタグＴに具備された図示しないアンテナ部により無線電波を介して電波ポスターユニット１内のＩＣタグリーダモジュールのリーダ部に送信されることにより、当該リーダ部によって識別情報が読み取られるように構成される。そして、リーダ部によって識別情報が読み取られると、所定の音声をスピーカ１３より出力して、ユーザに識別情報が読み取られたことを案内するようになっている。
【００４９】
そして、読み取られた識別情報は、電波ポスターユニット１の内部に備えた図示しない通信部及び通信網を介して掲示内容に関する関連情報を管理する情報管理装置に送信され、当該情報管理装置によって、電波ポスターユニット１の掲示媒体挿み込み部１１に掲示されているポスター１１Ａの広告内容や案内内容等の掲示内容に関する関連情報が、識別情報に対応付けて情報管理装置に登録済みのユーザの携帯電話のメールアドレス宛てに送信される。このような構成により、あるＩＣタグＴを保有するユーザの携帯電話（情報端末装置）を、他の携帯電話（情報端末装置）から識別して、一意に特定することができるようになっている。
【００５０】
そして、携帯電話にて情報管理装置から送信された関連情報を受信すると、携帯電話の表示部に当該関連情報が表示され、ユーザがポスター１１Ａの広告内容や案内内容等の掲示内容に関する関連情報を確認できる構成となっている。
【００５１】
なお、上述した電波ポスターユニット１の内部に備えた図示しない通信部は、有線であっても無線であってもよいが、ネットワーク接続ケーブルを必要とせず、無線によって通信網を介して情報管理装置と接続可能な無線通信部であることがより好ましい。無線通信部であれば、ネットワーク接続のための回線が引かれていない場所であっても、電源コードにより電源供給さえされれば、電波ポスターユニット１を何処でも容易に設置することが可能となるからである。
【００５２】
また、上述した「掲示内容に関する関連情報」とは、例えば、掲示している掲示媒体がポスター等の広告である場合には、当該広告にかかる商品の販売期間、販売会社、製造業者、内容量、成分、効能、価格、他の姉妹品情報や、等であって、掲示している掲示媒体が案内掲示やお知らせ等の情報掲示である場合には、情報源や、掲示期間、案内にかかる地図や連絡先等である。
【００５３】
また、識別情報は、各ＩＣタグＴを一意に識別することができるものであればよく、例えば、工場出荷時に予め割り振られる製造番号等を固有の識別情報としてを利用することも可能である。また、ＩＣタグ毎に固有のＩＤを書き込んで利用することも可能である。このように、ＩＣタグＴは、無電池のため応用事例にあわせた柔軟な加工や小型化・薄型化が可能であり、シール状に加工したＩＣタグＴを携帯電話などの携帯物の表面や内面に貼り付けたり、ストラップなどの形状に加工したＩＣタグＴを携帯電話などの携帯物に付属させることも可能である。
【００５４】
なお、電波ポスターユニットによる情報配信システムに関するシステム構成は、特開２００３−３０８２６７号に詳細に記載されているため、説明を省略する。また、本出願人は情報管理装置にユーザのメールアドレスとＩＣタグの識別情報と対応付けて登録する方法に関して特許出願（特願２００５−０３１７６１号）をしていることを付記しておく。
【００５５】
＜ＩＣタグリーダモジュール＞
１．ＩＣタグリーダモジュールの構成及び機能
続いて、図２及び図３を用いてＩＣタグリーダモジュールの構成及び機能について説明する。
【００５６】
図２は、本発明に用いるＩＣタグリーダモジュールの平面図であり、図３は、電波ポスターユニット１の筐体内部に備えたＩＣタグリーダモジュールの断面図であり、図３において、図中左が電波ポスターユニット１の前面部であり、図中右が電波ポスターユニット１の後面部である。
【００５７】
図２及び図３に示す如く、ＩＣタグリーダモジュール２は、サブ基板２０と、リーダ部２１と、ＬＥＤ２２と、により構成される。
【００５８】
サブ基板２０は、リーダ部２１及びＬＥＤ２２を配置させるためのものである。
【００５９】
リーダ部２１は、サブ基板２０上に設置され、電波ポスターユニット１の筐体外部から翳されたＩＣタグＴの識別情報を読み取るためのものであって、リーダコントローラを含み、アンテナ部２１ａを備えて構成している。
【００６０】
ＬＥＤ２２は、上記リーダ部２１の位置を電波ポスターユニット１の筐体外部から認知させるための発光体の一例であって、本実施形態では、上記リーダ部２１を取り囲んで複数具備されている。もちろん、本実施形態に限られるものでなく、例えば星型を形成するように具備するなど、ＬＥＤ２２は種々のデザイン構成で配置させることができる。
【００６１】
このようなＩＣタグリーダモジュール２が、図３に示す如く、ＬＥＤ２２が電波ポスターユニット１の透光性のある材料から成る筐体の前面部と対向するよう配置されることにより、電波ポスターユニット１の外部からＬＥＤ２２の発光が確認できるため、ユーザは発光によってＩＣタグＴを翳すべき場所を容易に確認することができる。また、本実施形態では、リーダ部２１を中心とした同心円状にＬＥＤ２２を複数設けた。このように、リーダ部２１を取り囲むようにＬＥＤ２２を複数具備したので、ユーザは発光の中心にＩＣタグＴを確実且つ容易に翳すことができる。
【００６２】
なお、図３に示すように、ＩＣタグリーダモジュール２が電波ポスターユニット１の透光性のある材料から成る筐体の前面部と並行に対向する場合に限定されるものではなく、例えば、当該筐体の前面部と角度をもって対向させることにより、筐体外部から確認したときに、ＬＥＤ２２の発光が散乱した状態になるよう構成することも可能である。
【００６３】
２．ＩＣタグリーダモジュールの取り付け構造
以下に、図４を用いてＩＣタグリーダモジュール２の取り付け構造について詳細に説明する。
【００６４】
図４に示す如く、電波ポスターユニット１の筐体の後面部に、ＩＣタグリーダモジュール２を所定方向に移動可能とするためのガイドレール３を図示しないネジ等によって固定設置する。当該ガイドレール３は、ＩＣタグリーダモジュール２を移動可能とさせたい範囲に、すなわち、移動可能とさせたい方向に沿って、移動可能とさせたい長さだけ、筐体１の後面部に取り付ければよい。
【００６５】
本実施形態では、図４に示す如く、長手方向上部にＶ字型の溝部３ａが形成されたガイドレール３と、長手方向下部にＶ字型の溝部３ｂが形成されたガイドレール３と、による一対のガイドレールによって、ＩＣタグリーダモジュール２の上端部及び下端部に備えた位置決め金具４における嵌合部（後に詳述する）を、各溝部３ａ、３ｂに嵌め合わせることにより、ＩＣタグリーダモジュール２を移動可能（且つ、着脱可能）に設けると共に、所望の位置に安定して配置させることが可能になる。なお、位置決め金具４は、金属製に限らず、プラスチック等による合成樹脂によって構成してもよい。
【００６６】
図５にＩＣタグリーダモジュール２の取り付け構造を示す要部拡大図を示す。なお、同図に示す例は、ＩＣタグリーダモジュール２の上端部とガイドレール３との取り付け構造を示す図であるが、ＩＣタグリーダモジュール２の下端部とガイドレール３との取り付け構造も同様の構成である。
【００６７】
位置決め金具４は、ネジ４ａによりＩＣタグリーダモジュール２の上端部と固定されると共に、ストッパ片４１及びうめこみバネ４２を備えて構成される。
【００６８】
ストッパ片４１の一方の端部は操作部４１ａであって、位置決め金具４の外部に位置し、電波ポスターユニット１内の所望の位置にＩＣタグリーダモジュール２を配置させる際に、管理者等によって操作されるものである。また、ストッパ片４１の長手方向の幅方向に貫通するように支軸４１ｂが設けられている。更に、ストッパ片４１の他方の端部は嵌合部としての作用部４１ｃであって、上述したガイドレール３の溝部３ａに嵌合し、かつ、うめこみバネ４２と接することにより、当該うめこみバネ４２の付勢力によってストッパ片４１をガイドレール３にロック状態としたり、或いはロック状態を解除したりすることにより、位置決め金具４に固定されたＩＣタグリーダモジュール２の位置を決定することができる。
【００６９】
図５を用いてより具体的に説明すると、うめこみバネ４２による付勢力が、ストッパ片４１の作用部４１ｃに対して、当該ストッパ片４１の支軸４１ｂを中心として図中時計周りに働き、当該作用部４１ｃがガイドレール３の溝部３ａに押圧された状態となり、ストッパ片４１を介して（言い換えれば、ストッパ片４１を備えた位置決め金具４を介して）ＩＣタグリーダモジュール２がガイドレール３にロックされた状態となっている。
【００７０】
他方、ＩＣタグリーダモジュール２をガイドレール３上に移動させる際や、ＩＣタグリーダモジュール２をガイドレール３から着脱させる際には、位置決め金具４の外部に位置するストッパ片４１の操作部４１ａを図中矢印方向に押圧することによって、ストッパ片４１に対して支軸４１ｂを中心として図中反時計回りに回転力が働き、作用片４１ｃがうめこみバネ４２を圧縮させることにより、当該ストッパ片４１とガイドレール３とのロック状態を解除できる（言い換えれば、ストッパ片４１を備えた位置決め金具４とガイドレール３とのロック状態を解除できる）。
【００７１】
従って、ＩＣタグリーダモジュール２の上下に備えた位置決め金具４のストッパ４１を同時に押圧して、上下のストッパ片４１とガイドレール３のロック状態を解除することにより、位置決め金具４と共にＩＣタグリーダモジュール２をガイドレール３から取り外すことができるように構成される。
【００７２】
なお、上述した実施形態では、ガイドレール３を電波ポスターユニット１の筐体の後面部に固定設置した例について説明したが、ガイドレール３を電波ポスターユニット１の筐体の前面部に固定設置するよう構成してもよい。この場合には、図４及び図５に示す構成のうち、ＩＣタグリーダモジュール２２のリーダ部２１及びＬＥＤ２２が筐体前面と対向するよう、ＩＣタグリーダモジュール２２を表裏反転した状態とすればよい。
【００７３】
以上説明したように、本実施形態によれば、電波ポスターユニット１の内部にＩＣタグリーダモジュール２を移動可能（且つ、着脱可能）に備えたので、デザイン性の高い電波ポスターユニット１を提供することができる。また、ＩＣタグＴの識別情報を読み取るリーダ部２１と、当該リーダ部２１の位置が筐体外部から認知できるようＬＥＤ２２が具備されたＩＣタグリーダモジュール２を備え、且つ、電波ポスターユニット１の前面部を樹脂等の透光性を有する材料で構成したので、ユーザはＬＥＤ２２の発光によって電波ポスターユニット１の何れの位置にＩＣタグＴのリーダ部２１があるのか、言い替えれば、電波ポスターユニット１の何れの位置にＩＣタグＴを翳すべきかを、筐体外部より容易に把握（確認）することができる。さらに、無線通信による通信部を電波ポスターユニット１に備えた構成としたので、電波ポスターユニット１は図示しない電源コードにより電源供給さえされれば、何処でも容易に設置することが可能となる。また、電波ポスターユニット１の筐体の表面等にＩＣタグリーダモジュールのリーダ部の位置を認知させるための注意書き（例えば「ここにＩＣタグをかざしてください。」等）を行う必要がないので、高いデザイン性と省スペース性を有するＩＣタグリーダモジュール２を備えた電波ポスターユニット１を提供することができる。また、この電波ポスターユニット１等のような、前面を発光性を有する材料で構成した筐体内に備えられるリーダモジュールを、ＩＣタグＴ等の記憶媒体の情報を読み取るリーダ部２１及びＬＥＤ２２を具備して構成したので、利便性が高く、且つデザイン性の高いリーダモジュールを提供することができる。
【００７４】
更に、上述した本実施形態では、ＬＥＤ２２を、リーダ部２１を取り囲むように複数設けたので、ユーザは発光の中心にＩＣタグＴを確実且つ容易に翳すことができる。
【００７５】
また、電波ポスターユニット１の筐体内部にＩＣタグリーダモジュール２を所定方向に移動可能とするためのガイドレール３を備え、当該ガイドレール３に沿ってＩＣタグリーダモジュール２が移動可能となるよう構成したので、ＩＣタグリーダモジュール２を移動可能とさせたい範囲に、すなわち、移動可能とさせたい方向に沿って、移動可能とさせたい長さだけ、ガイドレール３を備えればよい。例えば、上述したような筐体の左右方向に沿ってガイドレール３を設ける構造に限らず、例えば、筐体の上下方向に沿ってガイドレール３を設けてもよく、設計の自由度が高い電波ポスターユニット１を提供することができる。
【００７６】
なお、上述した本実施形態では、情報端末装置は携帯電話である場合について説明したが、このような実施形態に限定されることはなく、メール機能を有する携帯端末装置や、パーソナルコンピュータ等の情報通信装置であってもよい。
【００７７】
また、上述した本実施形態では、ＩＣタグＴは、ユーザによって携帯電話と共に携帯されているものとしたが、このような実施形態に限定されることはなく、ＩＣタグＴが電波ポスターユニット１内部に備えたＩＣタグリーダモジュール２のリーダ部２１により、読み取り可能に携帯されていればよいものである。よって、例えば、携帯電話とは独立して所有されていてもよい。
【００７８】
なお、本発明における記憶媒体は、ＩＣタグＴに限定されるものでなく、固有の識別情報を各記憶媒体に応じた所定のリーダで読み取り可能な記憶媒体であれば、ＩＣカードや２次元バーコード等の各種バーコード、磁気カードを記録した記録物であってもよいが、特に、Felica（登録商標）等のＩＣカードは、会員証、定期券、クレジットカードなどへの採用が進んでおり、携帯性および取り扱いの容易さにおいて、記憶媒体として好適である。
【００７９】
上述したように、ＩＣタグリーダモジュール２におけるリーダ部２１をサブ基板２０上に設置させた構成としたので、各記憶媒体に応じた所定のリーダ（ＩＣタグを用いた場合にはICodeSLIリーダ、Felica（登録商標）を用いた場合にはFelicaリーダ）を新たに採用したい場合には、ＩＣタグリーダモジュール２における上記リーダ部２１を、サブ基板２０から取り外して、各記憶媒体に応じた所定のリーダを新たなリーダ部として入れ替えて、サブ基板２０及びＬＥＤ２２の構成はそのままに、新たなリーダモジュールを構成することができるので、省コスト且つ、複数種類のリーダを具備することが可能な利便性の高いリーダモジュールを提供することができる。なお、上述した実施形態では、複数のＬＥＤ２２によってリーダ部２１を取り囲むよう構成しているので、このような場合には、ＬＥＤ２２によって形成される円内部の面積が広いほど（例えば、円形の直径が大きいほど）、種々の大きさのリーダに対応できる。
【００８０】
また、上述した実施形態では、リーダ部２１にアンテナ部２１ａを備える構成としたが、本発明はリーダ部２１とアンテナ部２１ａとが個別に独立してサブ基板２０上に設置されている場合には、当該リーダ部２１とアンテナ部２１ａをサブ基板２０から取り外して、各記憶媒体に応じた所定のリーダと所定のアンテナとをそれぞれ新たなリーダ部及びアンテナ部として入れ替えればよい。
【００８１】
更に、上述した実施形態では、電波ポスターユニット１に掲示すべき掲示情報が記載された広告媒体や案内掲示物等の掲示媒体を差し替え可能に挿んで掲示するための掲示部としての掲示媒体挿み込み部１１を備え、当該掲示媒体挿み込み部１１に掲示されたポスター１１Ａ等の広告媒体や案内掲示物等の掲示媒体の掲示内容に関する関連情報が、情報管理装置からユーザの携帯電話に送信されるよう構成したが、このような実施形態に限定されることはなく、例えば、図６に示す如く電波ポスターユニット１に広告情報や案内情報等の掲示情報を表示させるための表示モニタ１４を備え、電波ポスターユニット１に備えた図示しない無線通信による通信部を介して情報管理装置から上記掲示情報を受信し、当該掲示情報に基づいて上記表示モニタ１４に受信した掲示情報を表示するよう構成してもよい。
【００８２】
また、ＩＣカードやＩＣタグＴ等種々の記憶媒体に併せてＩＣタグリーダモジュール２を、電波ポスターユニット１内に複数着脱可能に備えてもよい。その場合には、図６に示す如く、各ＩＣタグリーダモジュール２（記憶媒体がＩＣカードであれば、ＩＣカードのリーダモジュール）に具備するＬＥＤ２２の配置が異なるよう構成することにより、ユーザに何れの記憶媒体を何れのＬＥＤ２２に基づいて翳すべきかを認知させることができる。図６に示す例によれば、複数のＬＥＤ２２をリーダ部２１を取り囲んで一重円となるように配置させたＩＣタグリーダモジュール２と、複数のＬＥＤ２２をリーダ部２１を取り囲んで二重円となるように配置させたＩＣタグリーダモジュール２と、をそれぞれ備えている。なお、電波ポスターユニット１のリーダモジュールにおけるＬＥＤ２２の配置と、当該ＬＥＤ２２の配置に対応する記憶媒体とが、今後電波ポスターユニット１が流通し、業界に浸透していく過程においてデファクトスタンダード（業界標準）となることにより、ユーザは電波ポスターユニット１の筐体外部から見える発光体の形状等に基づいて、何れの発光体に基づいて自己の記憶媒体を翳せばよいのかを認知することができる。また、各記憶媒体のリーダモジュール毎にＬＥＤ２２の発光の色が異なるよう構成してもよい。
【００８３】
更に、上述した実施形態では、ＩＣタグリーダモジュール２は、ＩＣタグ等の記憶媒体の情報を読み取るリーダ部２１を備える構成としたが、ＩＣタグ等の記憶媒体に対して情報を読み取るだけでなく、書き込み機能を有するリーダライタ部を備えてＩＣタグリーダ／ライタモジュールとしてもよい。この場合には、リーダ部２１に代えてリーダライタ部をサブ基板２０上に設置すればよい。
【００８４】
更に、記憶媒体の情報を読み取るリーダ部を備えたリーダモジュールだけでなく、記憶媒体に対して情報の書き込みを行うライタ部を有するライタモジュールに対しても本発明を適用できる。この場合には、リーダ部２１に代えてライタ部をサブ基板２０上に設置すればよい。
【００８５】
＜ＩＣタグリーダモジュールの取り付け構造に係る変形例＞
変形例１
以下に、図７を用いてＩＣタグリーダモジュール２の取り付け構造に係る変形例について詳細に説明する。
【００８６】
なお、電波ポスターユニット１の筐体の後面部に、ＩＣタグリーダモジュール２を所定方向に移動可能とするためのガイドレール３を図示しない螺子等によって固定設置する構成は図４と同様であるため、説明を省略する。
【００８７】
図７は、ＩＣタグリーダモジュール２の取り付け構造に係る他の実施例の要部拡大図を示す。なお、同図に示す例は、ＩＣタグリーダモジュール２の上端部とガイドレール３との取り付け構造を示す図であるが、ＩＣタグリーダモジュール２の下端部のガイドレール３との取り付け構造も同様の構成である。
【００８８】
位置決め金具４は、ＩＣタグリーダモジュール２の上端部に固着された押圧片４３に、当該位置決め金具４の爪部４１ｄに設けた支軸４１ｂを中心に回動可能に支持されている。
【００８９】
また、位置決め金具４の一辺は操作部４１ａであって、電波ポスターユニット１内の所望の位置にＩＣタグリーダモジュール２を配置させる際に、管理者等によって操作されるものである。更に、位置決め金具４の上記操作部４１ａと対向する他方の辺の下部は、嵌合部としての作用部４１ｃであって、上述したガイドレール３の溝部３ａに嵌合し、バネ４４の付勢力によって作用部４１ｃをガイドレール３にロック状態としたり、或いはロック状態を解除したりすることにより、位置決め金具４に固定されたＩＣタグリーダモジュール２の位置を決定することができる。
【００９０】
図７を用いてより具体的に説明すると、バネ４４による付勢力が、支軸４１ｂを中心として図中反時計回りに働き、作用部４１ｃがガイドレール３の溝部３ａに押圧された状態となり、位置決め金具４を介してＩＣタグリーダモジュール２がガイドレール３にロックされた状態となっている。
【００９１】
他方、ＩＣタグリーダモジュール２をガイドレール３上に移動させる際や、ＩＣタグリーダモジュール２をガイドレール３から着脱させる際には、位置決め金具４の操作部４１ａを図中矢印方向に押圧することによって、バネ４４を圧縮させつつ、位置決め金具４に対して、爪部４１ｄに設けた支軸４１ｂを中心として図中時計回りに回転力が働き、作用部４１ｃとガイドレール３とのロック状態を解除できる（言い換えれば、位置決め金具４とガイドレール３とのロック状態を解除できる）。
【００９２】
従って、ＩＣタグリーダモジュール２の上下に備えた位置決め金具４の操作部４１ａをそれぞれＩＣタグリーダモジュール２方向に同時に押圧して、上下の位置決め金具４の作用部４１ｃとガイドレール３のロック状態をそれぞれ解除することにより、位置決め金具４と共にＩＣタグリーダモジュール２をガイドレール３から取り外すことができるように構成される。
【００９３】
なお、ガイドレール３を電波ポスターユニット１の筐体の後面部に固定設置した例について説明したが、ガイドレール３を電波ポスターユニット１の筐体の前面部に固定設置するよう構成してもよい。この場合には、図７に示す構成のうち、ＩＣタグリーダモジュール２２のリーダ部２１及びＬＥＤ２２が筐体前面と対向するよう、ＩＣタグリーダモジュール２２を表裏反転した状態とすればよい。
【００９４】
変形例２
上述した実施形態及び変形例１では、電波ポスターユニット１の筐体内の前面又は後面にガイドレール３を備え、当該ガイドレール３に沿ってＩＣタグリーダモジュール２が移動可能となるよう構成したが、ＩＣタグリーダモジュール２の背面に磁性を有する磁性部としてのマグネットを備え、当該マグネットによりＩＣタグリーダモジュール２がステンレス等の金属によって構成された電波ポスターユニット１の筐体内部後面に着脱自在となるよう構成してもよい。
【００９５】
なお、この場合には、電波ポスターユニット１に備えた図示しない無線通信による通信部を、ＩＣタグリーダモジュール２に備えたマグネットの磁性の影響を遮断するようシールド加工する。
【００９６】
このような構成により、ＩＣタグリーダモジュール２を最小限の構成部材で着脱可能に構成できる。
【００９７】
また、その他のＩＣタグリーダモジュール２の電波ポスターユニット１への装着の構成として、ネジ等の固定手段によって筐体内部に固定設置してもよい。
【００９８】
このように、複数のＩＣタグリーダモジュール２を、電波ポスターユニット１内に着脱可能に備えることにより、ＩＣカードやＩＣタグＴ等種々の記憶媒体に対応するリーダモジュールを複数設けることができ、種々の記憶媒体に対応可能な電波ポスターユニット１を提供することができる。
【図面の簡単な説明】
【００９９】
【図１（Ａ）】本発明の情報提供装置としての電波ポスターユニット１の外観説明図である。
【図１（Ｂ）】本発明の情報提供装置としての電波ポスターユニット１の外観説明図である。
【図１（Ｃ）】台座１２を省略した電波ポスターユニット１の左側面図である。
【図２】ＩＣタグリーダモジュール２の平面図である。
【図３】ＩＣタグリーダモジュール２の断面図である。
【図４】ＩＣタグリーダモジュール２の取り付け構造を示す説明図である。
【図５】ＩＣタグリーダモジュール２の取り付け構造を示す要部拡大図である。
【図６】電波ポスターユニット１の外観説明図である。
【図７】ＩＣタグリーダモジュール２の取り付け構造に係る変形例を説明図である。
【符号の説明】
【０１００】
１・・・電波ポスターユニット
１１・・・掲示媒体挿み込み部
１１Ａ・・・ポスター
１１Ｂ・・・掲示媒体挿入口
１１Ｂａ・・・ネジ
１２・・・台座
１３・・・スピーカ
２・・・ＩＣタグリーダモジュール
２１・・・リーダ部
２２・・・ＬＥＤ
３・・・ガイドレール
３ａ、３ｂ・・・溝部
４・・・位置決め金具
４ａ・・・ネジ
４１・・・ストッパ片
４１ａ・・・操作部
４１ｂ・・・支軸
４１ｃ・・・作用部
４１ｄ・・・爪部
４２・・・うめこみバネ
４３・・・押圧片
４４・・・バネ
【図１（Ａ）】
2006349887.tif 000003
【図１（Ｂ）】
2006349887.tif 000004
【図１（Ｃ）】
2006349887.tif 000005
【図２】
2006349887.tif 000006
【図３】
2006349887.tif 000007
【図４】
2006349887.tif 000008
【図５】
2006349887.tif 000009
【図６】
2006349887.tif 000010
【図７】
2006349887.tif 000011
【手続補正書】
【提出日】平成17年7月1日(2005.7.1)
【手続補正１】
【補正対象書類名】図面
【補正対象項目名】全図
【補正方法】変更
【補正の内容】
【図１（Ａ）】
2006349887.tif 000012
【図１（Ｂ）】
2006349887.tif 000013
【図１（Ｃ）】
2006349887.tif 000014
【図２】
2006349887.tif 000015
【図３】
2006349887.tif 000016
【図４】
2006349887.tif 000017
【図５】
2006349887.tif 000018
【図６】
2006349887.tif 000019
【図７】
2006349887.tif 000020